(57)【特許請求の範囲】
【請求項１】
電線を被覆する外被表面部に長手方向に延びる引き裂き用の発泡ストライプを形成したコードであって、上記発泡ストライプには、コード中心側に尖った角部が形成されることを特徴とするコード。
【請求項２】
電線を被覆する外被表面部に長手方向に延びる引き裂き用の発泡ストライプを形成したケーブルであって、上記発泡ストライプには、ケーブル中心側に尖った角部が形成されることを特徴とするケーブル。
【発明の詳細な説明】
【０００１】
【発明の属する技術分野】
本発明は、コード・ケーブルに係り、特に、外被の構造に関するものである。
【０００２】
【従来の技術】
図４に示すようにケーブル３０には外被３１を剥き易くするために外被３１にノッチ３２を形成したものがある。このノッチ３２は、外被３１表面部３３に長手方向に延びる単数又は複数の溝を形成してなるものであり、外被３１表面部３３の引き裂きに対する強度を部分的に落とすことにより、外被３１を手作業で容易に引き裂けるようになっている。
【０００３】
【発明が解決しようとする課題】
ところで、ノッチ３２は溝であるため、屋外など風雨にさらされるとノッチ３２内に土砂や油などの異物が入ってしまうことがあり、異物が入った部分以降が引き裂き難くなってしまうという課題がある。
【０００４】
そこで、本発明の目的は、上記課題を解決し、ノッチ内に異物が入ることなく、かつ、容易に外被を引き裂くことのできるコード・ケーブルを提供することにある。
【０００５】
【課題を解決するための手段】
上記目的を達成するために本発明は、電線を被覆する外被表面部に長手方向に延びる引き裂き用の発泡ストライプを形成したコードであって、上記発泡ストライプには、コード中心側に尖った角部が形成されるものである。
【０００６】
また、電線を被覆する外被表面部に長手方向に延びる引き裂き用の発泡ストライプを形成したケーブルであって、上記発泡ストライプには、ケーブル中心側に尖った角部が形成されるものである。
【０００７】
【発明の実施の形態】
本発明の好適実施の形態を添付図面に基づいて詳述する。
【０００８】
図１に示すように、ケーブル１は、芯部２と、芯部２を被覆する外被３とからなる。芯部２は、単数または複数本の芯線４を有し、外被３は芯部２にＰＶＣ（ポリ塩化ビニル）を押出し被覆してなる。
【０００９】
外被３表面部５には、長手方向に延びる引き裂き用の発泡ストライプ６が形成されている。発泡ストライプ６は、ケーブル１の中心を挟んで向かい合わせに２本形成されており、それぞれケーブル１の中心に向かって窄むように形成されている。
【００１０】
また、発泡ストライプ６は、ケーブル１中心側に鋭角（ほぼ６０°位）に尖った角部７を形成しており、断面をほぼ扇状に形成されている。そして、外被３に引き裂き力が加わったときにケーブル１中心側の角部７に引き裂き力が集中するようになっている。
【００１１】
発泡ストライプ６の外周側は、通常のケーブルのように段などのない滑らかな曲線に形成されており、非発泡部８との継ぎ目も滑らかに、かつ、一体的に形成されている。このことにより、皮剥きをしない通常時にケーブル１に何らかの外力が作用したとしても外被３は簡単に剥がされないようになっている。
【００１２】
また、発泡ストライプ６は、外被３押出し成形時に口金（図示せず）に発泡コンパウンド（図示せず）を注入することにより形成されており、外被３の一部を発泡させて外被３と一体に形成されている。
【００１３】
次に作用を述べる。
【００１４】
ケーブル１の先端から芯部２を露出させる場合、まず、剥きたい長さの外被３の位置に電工ナイフ（図示せず）などの工具で適宜の深さの切り込みを周方向に入れる。このとき、切り込みは、それぞれの発泡ストライプ６にかかるように入れ、望ましくは発泡ストライプ６の位置で発泡ストライプ６より深く入れる。
【００１５】
そして、２本の発泡ストライプ６を境に外被３の先端をめくるように引っ張ると、発泡ストライプ６は他の非発泡部８より強度を低下されているため容易に裂ける。
【００１６】
この後、引き裂き力は発泡ストライプ６の角部７に集中され、角部７に隣接する外被３の非発泡部８も容易に引き裂かれる。このことにより、外被３の先端は発泡ストライプ６の位置で長手方向に引き裂かれ、この裂け目を起点として外被３の先端を更に引っ張ることで裂け目は長手方向に伝播される。
【００１７】
裂け目の伝播は、上述の電工ナイフで入れた切り込みの位置で一旦止まり、引き裂かれた外被３をその切り込みに沿って引っ張ることにより、切り込みに沿って更に伝播され、外被３を容易に剥き取ることができる。
【００１８】
また、外被３からノッチを排して発泡ストライプ６を形成するものとしたため、外観上大きな凹部をなくすことができ、凹部に異物が入って外被３を引き裂き難くするのを防ぐことができる。
【００１９】
なお、外被３の材質はテフロン，ＰＥ類など発泡可能なものであれば他のものであってもよく、外被３に形成する発泡ストライプ６も２本に限るものではなく１本又は３本以上形成してもよい。また、上述の実施の形態では外被３に発泡コンパウンドを注入して発泡ストライプ６を形成するものとしたが、これに限るものではなく、他の化学発泡又はガス発泡により発泡ストライプ６を形成するものとしてもよい。
【００２０】
そして、上述の実施の形態ではケーブル１について述べたが、コードなど外被を有する電線一般に発泡ストライプ６を形成してよいのは勿論である。
【００２１】
また、上述の実施の形態では断面丸型のケーブル１について述べたが、これに限るものではなく、楕円、方形状又は平型のコードまたはケーブルであってもよい。
【００２２】
例えば、図２に示すように平型のケーブル１０の場合、外被１１の曲面部１２に発泡ストライプ６を形成するとよい。曲面部１２に発泡ストライプ６を形成することにより、容易に発泡ストライプ６に引き裂き力を集中させることができ、比較的小さな力で外被１１を引き裂くことができ、容易に外被１１を剥くことができる。
【００２３】
次に本発明とは無関係の参考形態を添付図面に基づいて述べる。
【００２４】
図３に示すように、ケーブル２０は、平型のものであり、芯部２１は一列に並んだ複数の芯線２２と、その芯線２２同士を絶縁する絶縁体２３とからなる。
【００２５】
外被２４は、絶縁体２３を被覆して形成されている。芯線２２の並び方向両側に形成される外被２４の曲面部２５の内部には長手方向に延びる引き裂き用のノッチ穴２６がそれぞれ形成されている。
【００２６】
ノッチ穴２６は、それぞれ外被２４の表面近くに形成されており、断面をほぼ正三角形状に、かつ、いずれかの角部２７をケーブル２０の中心に向け、他の角部２８を径方向外方に向けて形成されている。また、ケーブル２０の中心に向く角部２７は鋭角（ほぼ６０°位）に形成されており、ノッチ穴２６に引張力が作用すると角部２７から外被２４が裂けるようになっている。
【００２７】
次に作用を述べる。
【００２８】
ケーブル２０の先端から芯部２１を露出させる場合、まず、剥きたい長さの外被２４の位置に周方向に切り込みを入れる。
【００２９】
そして、２本のノッチ穴２６を境に外被２４の先端をめくるように引っ張ると、外被２４はノッチ穴２６の角部２７，２８から径方向に裂け、外被２４の先端はノッチ穴２６の位置で長手方向に引き裂かれる。裂け目を起点にして外被２４の先端を更に引っ張ると、裂け目はノッチ穴２６に沿って長手方向に伝播され、前述の周方向に入れた切り込みの位置で一旦止まる。
【００３０】
この後、引き裂かれた外被２４をその切り込みに沿って引っ張ることにより、外被２４は切り込みに沿って更に引き裂かれ、外被２４を容易に剥き取ることができる。
【００３１】
また、外被２４に溝状のノッチを形成することなく、外被２４内にノッチ穴２６を形成するものとしたため、外観上大きな凹部をなくすことができ、凹部に異物が入って外被２４を引き裂き難くするのを防ぐことができる。
【００３２】
なお、外被２４の材質はテフロン，ＰＥ類など他のものであってもよく、外被２４に形成するノッチ穴２６も２本に限るものではなく１本又は３本以上形成してもよい。そして、ケーブル２０に限ることなくコードなど外被を有する電線一般にノッチ穴２６を形成してもよい。
【００３３】
また、断面平型のケーブル２０に限るものではなく、楕円、方形状又は丸型のコードまたはケーブルの外被にノッチ穴２６を形成してもよい。
【００３４】
【発明の効果】
以上要するに本発明によれば、ノッチに異物が入るのを防げ、かつ、容易に外被を引き裂くことができる。
【図面の簡単な説明】
【図１】      本発明の好適実施の形態を示すケーブルの斜視図である。
【図２】      図１の変形例を示すケーブル断面の正面図である。
【図３】      参考形態を示すケーブル断面の正面図である。
【図４】      従来のケーブル断面の正面図である。
【符号の説明】
１  ケーブル
３  外被
５  表面部
６  発泡ストライプ
７  角部
【図１】
0003948841.tif 000002
【図２】
0003948841.tif 000003
【図３】
0003948841.tif 000004
【図４】
0003948841.tif 000005